(57)【要約】      （修正有）【課題】バーナから離れた領域においても還元雰囲気を形成することで、還元雰囲気を広範囲に形成することができる技術を提供する。【解決手段】微粉炭バーナ１は、微粉炭および微粉炭搬送用空気を有する燃料２１を供給する燃料ノズル１１と、燃料ノズル１１の外側に配置され、一次空気２２を供給する一次空気ノズル１２と、燃料ノズル１１および一次空気ノズル１２の外側に配置され、二次空気２３を供給する二次空気ノズル１３を備える。また、各々のノズル内に、燃料２１に旋回流を形成させる燃料流旋回羽根２７と、一次空気２２に旋回流を形成させる一次空気流旋回羽根２８と、二次空気２３に旋回流を形成させる二次空気流旋回羽根２９とを備える。そして、一次空気２２および二次空気２３の旋回方向に対して、燃料２１の旋回方向が逆向きになるように燃料流旋回羽根２７を配置する。これにより、広範囲に還元雰囲気を形成できる。【選択図】図２
2010230209.tif 000002
【特許請求の範囲】
【請求項１】
微粉炭および微粉炭搬送用空気を有する燃料を供給する燃料ノズルと、
前記燃料ノズルの外側に配置され、燃焼用空気を供給する空気ノズルと、
前記燃料ノズル内に配置され、当該燃料ノズルから火炉側に向けて前記燃料に旋回流を形成させる第１旋回流発生手段と、
前記空気ノズル内に配置され、当該空気ノズルから火炉側に向けて前記燃焼用空気に旋回流を形成させる第２旋回流発生手段と、
を備え、
前記第２旋回流発生手段により形成された前記燃焼用空気の旋回流に対して、前記第１旋回流発生手段により形成された前記燃料の旋回流は、逆向きであることを特徴とする微粉炭燃焼装置。
【請求項２】
請求項1に記載の微粉炭燃焼装置において、
前記微粉炭の燃料比が１．０以下であることを特徴とする微粉炭燃焼装置。
【請求項３】
請求項２に記載の微粉炭燃焼装置において、
前記微粉炭は、亜瀝青炭、褐炭、または、亜瀝青炭と褐炭とを配合した混合炭であることを特徴とする微粉炭燃焼装置。
【請求項４】
請求項１に記載の微粉炭燃焼装置において、
前記燃料は、バイオマス燃料をさらに有することを特徴とする微粉炭燃焼装置。
【請求項５】
微粉炭および微粉炭搬送用空気を有する燃料を旋回流で供給する燃料ノズルと、当該燃料ノズルの外側に配置され燃焼用空気を旋回流で供給する空気ノズルとを備える微粉炭燃焼装置による微粉炭燃焼方法であって、
前記燃料の旋回に対して前記燃焼用空気の旋回を逆向きにすることを特徴とする微粉炭燃焼方法。
【発明の詳細な説明】
【技術分野】
【０００１】
本発明は、微粉炭燃焼装置および微粉炭燃焼装置を用いた微粉炭燃焼方法に関するものである。
【背景技術】
【０００２】
燃料中の窒素分や空気中の窒素分が燃焼時に酸化されて生じる窒素酸化物すなわちＮＯｘは、大気汚染物質であり、規制値以下に低減させなければならない。特に、石炭の燃焼においては、他の気体燃料や液体燃料に比べて、燃料中の窒素含有量が多い。したがって、石炭の燃焼時に生じるＮＯｘ量は、気体燃料などの燃焼時に生じるＮＯｘ量より多い。そのため、石炭の燃焼においてＮＯｘ量の抑制は、特に重要である。
【０００３】
ＮＯｘを抑制する方法として、２段階燃焼法がある。この方法は、バーナの燃焼空気通路に旋回べーンを設け、燃焼用空気を旋回流として供給する。燃焼用空気を旋回流で供給すると、空気はノズルから噴射後、旋回に伴う遠心力によりバーナの外側に向かって流れる。バーナ出口近傍では、微粉炭と燃焼用空気とは混合せず、微粉炭は低い空気比条件で燃焼する。つまり、火炎内のバーナ出口近傍では空気不足の燃料過剰燃焼を行って還元雰囲気を拡大し、火炎の後段では酸素濃度の高い燃焼を行うようにしたものである。バーナ近傍の還元雰囲気では、石炭中の窒素分は、主にシアン化水素（ＨＣＮ）やアンモニア（ＮＨ３）などの還元性窒素化合物として放出される。これらの還元性窒素化合物は、還元雰囲気でＮＯｘを還元する効果を有するので、ＮＯｘの生成量を抑制することができる。このように、石炭の燃焼において、還元雰囲気が形成される領域を拡大することは、ＮＯｘの抑制の観点から広く合理的である。このような方法は、例えば、特許文献１などに開示されている。
【０００４】
また、特許文献２には、燃料ノズルの中に旋回発生器を設置し、搬送用空気と微粉炭を含む一次空気に旋回を与え、微粉炭を遠心力により外周側に集め高濃度の領域が形成されるようにし、その後、燃料ノズルから噴出されたときに微粉炭の飛散を防ぐため、整流板を設け、これにより一次空気の旋回が止められてから噴出されるようにした技術が開示されている。
【０００５】
また、特許文献３には、微粉炭ノズルと、この微粉炭ノズルの外周に同心円状に配置された空気ノズルを備えた微粉炭バーナにおいて、微粉炭ノズルから噴出される微粉炭を含む一次空気の噴流が、バーナの中心線に対して周方向に微粉炭の濃度分布を持ち、微粉炭の高濃度部分が前記中心線から放射状に形成されるように構成した微粉炭バーナが開示されている。この特許文献３に記載の技術は、噴射口付近で逆流域を作り出し、噴射口付近に高温の還元雰囲気を形成することおよび着火を促進することを目的とする技術である。
【先行技術文献】
【特許文献】
【０００６】
【特許文献１】特開昭５７−７３３０５号公報
【特許文献２】特開平９−１５９１０９号公報
【特許文献３】特開２０００−３１４５０８号公報
【発明の概要】
【発明が解決しようとする課題】
【０００７】
しかしながら、上記説明したような従来方式のバーナでは、バーナ近傍での還元雰囲気の形成は可能であるが、バーナから離れた領域での還元雰囲気の形成ができない。  
【０００８】
本発明は、上記実情に鑑みてなされたものであって、その目的は、バーナから離れた領域においても還元雰囲気を形成することで、還元雰囲気を広範囲に形成することができる技術を提供することである。
【課題を解決するための手段および発明の効果】
【０００９】
本発明に係る微粉炭燃焼装置は、上記目的を達成するために以下のようないくつかの特徴を有している。すなわち、本発明の微粉炭ボイラにおける低ＮＯｘ燃焼装置は、以下の特徴を単独で、若しくは、適宜組み合わせて備えている。  
【００１０】
上記課題を解決するための本発明に係る微粉炭燃焼装置の第１の特徴は、微粉炭および微粉炭搬送用空気を有する燃料を供給する燃料ノズルと、前記燃料ノズルの外側に配置され、燃焼用空気を供給する空気ノズルと、前記燃料ノズル内に配置され、当該燃料ノズルから火炉側に向けて前記燃料に旋回流を形成させる第１旋回流発生手段と、前記空気ノズル内に配置され、当該空気ノズルから火炉側に向けて前記燃焼用空気に旋回流を形成させる第２旋回流発生手段と、を備え、前記第２旋回流発生手段により形成された前記燃焼用空気の旋回流に対して、前記第１旋回流発生手段により形成された前記燃料の旋回流を逆向きにしたことである。
【００１１】
この構成によると、空気ノズルから火炉に向けて供給する燃焼用空気の旋回流に対して、燃料の旋回流を逆向きにすることで、当該燃焼用空気と当該燃料との界面近傍において、燃焼用空気と燃料に急激な混合が生じ、燃焼用空気と燃料との燃焼反応が促進される。そのため、バーナから離れた領域においても還元雰囲気を形成することができる。その結果、還元雰囲気を広範囲に形成することができる。
【００１２】
また、本発明に係る微粉炭燃焼装置の第２の特徴は、微粉炭の燃料比が１．０以下である。
【００１３】
この構成によると、燃料比が１．０以下の微粉炭は、着火が早いので、バーナ近傍での空気と燃料の混合を促進させることで、還元度の高い還元雰囲気を広範囲に形成することができる。そのため、燃料比が１．０以下の微粉炭を燃焼させる場合、ＮＯｘの生成量を従来の技術に比して抑制することができる。
【００１４】
また、本発明に係る微粉炭燃焼装置の第３の特徴は、微粉炭が、亜瀝青炭、褐炭、または、亜瀝青炭と褐炭とを配合した混合炭である。
【００１５】
この構成によると、亜瀝青炭、褐炭、または、亜瀝青炭と褐炭とを配合した混合炭は、着火が早いので、バーナ近傍での空気と燃料の混合を促進させることで、還元度の高い還元雰囲気を広範囲に形成することができる。そのため、亜瀝青炭、褐炭、または、亜瀝青炭と褐炭とを配合した混合炭を燃焼させる場合、ＮＯｘの生成量を従来の技術に比して抑制することができる。
【００１６】
また、本発明に係る微粉炭燃焼装置の第４の特徴は、燃料がバイオマス燃料をさらに有することである。
【００１７】
この構成によると、バイオマス燃料は、着火が早いので、バーナ近傍での空気と燃料の混合を促進させることで、還元度の高い還元雰囲気を広範囲に形成することができる。そのため、バイオマス燃料を有する燃料を燃焼させる場合、ＮＯｘの生成量を従来の技術に比して抑制することができる。
【００１８】
次に、本発明に係る微粉炭ボイラの低ＮＯｘ燃焼方法は、上記課題を解決するために以下のような特徴を有している。
【００１９】
上記課題を解決するための本発明に係る微粉炭燃焼装置を用いた微粉炭燃焼方法の特徴は、微粉炭および微粉炭搬送用空気を有する燃料を旋回流で供給する燃料ノズルと、当該燃料ノズルの外側に配置され燃焼用空気を旋回流で供給する空気ノズルとを備える微粉炭燃焼装置による微粉炭燃焼方法であって、前記燃料の旋回に対して前記燃焼用空気の旋回を逆向きにすることである。
【００２０】
この構成によると、空気ノズルから火炉に向けて供給する燃焼用空気の旋回流に対して、燃料の旋回流を逆向きにすることで、当該燃焼用空気と当該燃料との界面近傍において、燃焼用空気と燃料に急激な混合が生る。そのため、バーナから離れた領域においても還元雰囲気を形成することができる。その結果、還元雰囲気を広範囲に形成することができる。
【図面の簡単な説明】
【００２１】
【図１】微粉炭燃焼装置の概略図である。
【図２】本実施形態に係る微粉炭バーナの側断面図である。
【図３】燃料の旋回ありの条件で、石炭を燃焼させた場合における排ガス中のＮＯｘ濃度を示した図である。
【図４】燃料の旋回なしの条件で、石炭を燃焼させた場合における排ガス中のＮＯｘ濃度を示した図である。
【図５】燃料の旋回ありの条件で、炉内中心軸上のＣＯ濃度と微粉炭バーナからの距離との関係を示した図である。
【図６】燃料の旋回なしの条件で、炉内中心軸上のＣＯ濃度と微粉炭バーナからの距離との関係を示した図である。
【発明を実施するための形態】
【００２２】
以下、本発明を実施するための形態について図面を参照しつつ説明する。
【００２３】
（微粉炭燃焼装置の構成）
図１に示すように、微粉炭燃焼装置１００は、ボイラ用の火炉２と、当該火炉２内で微粉炭を燃焼させる微粉炭バーナ１と、火炉２内に微粉炭を供給するために、貯炭場３から運ばれた石炭を粉砕する粉砕機４と、微粉炭搬送用空気を発生させるブロワ６と、燃焼用空気を発生させるブロワ７などを備える。
【００２４】
火炉２の炉壁８にはスロート５が開口され、当該スロート５と同心に微粉炭バーナ１が設けられる。粉砕機４により粉砕された石炭（微粉炭）は、ブロワ６から供給される微粉炭搬送用空気とともに、配管９ａを通して微粉炭バーナ１に導かれ、火炉２に噴出される。
【００２５】
一方、燃焼用空気は、別のブロワ７により配管９ｂを通して微粉炭バーナ１に導かれ、火炉２に噴出される。
【００２６】
（微粉炭バーナ１の構成）
図２に示すように、微粉炭バーナ１中心部には燃料ノズル１１が設けられ、当該燃料ノズル１１の外側には一次空気ノズル１２および二次空気ノズル１３がそれぞれ配置されている。
【００２７】
具体的には、微粉炭バーナ１は、中心部に設けられた燃料供給管１４と、風箱壁１５、１６、１７と、風箱壁１６に接続されたバーナ筒１８と、風箱壁１７に接続されたバーナ筒１９を有して構成されている。当該燃料供給管１４の入口側は配管９ａに接続されている。燃料供給管１４およびバーナ筒１８、１９は円形断面を有し、バーナ筒１８、１９は、燃料供給管１４の外側に同心円状に順次配置される。風箱壁１５および風箱壁１６により風箱３１が形成され、風箱壁１６および風箱壁１７により風箱３２が形成される。この風箱３１、３２は、配管９ｂに接続されている。
【００２８】
これにより、燃料ノズル１１は、燃料供給管１４の内周面を外周壁とする管状の流路として形成される。また、一次空気ノズル１２は、燃料供給管１４の外周面を内周壁とし、バーナ筒１８の内周面を外周壁とする円環状の流路と、風箱３１による流路で形成され、二次空気ノズル１３は、バーナ筒１８の外周面を内周壁とし、バーナ筒１９の内周面を外周壁とする円環状の流路と、風箱３２による流路で形成される。ここで、ブロワ７から供給される燃焼用空気は、まず風箱３１、３２、に入り、その後、それぞれ一次空気ノズル１２、二次空気ノズル１３に供給される。
【００２９】
燃料ノズル１１は、微粉炭および微粉炭搬送用空気からなる燃料２１を噴出させる働きをし、一次空気ノズル１２、二次空気ノズル１３は、それぞれ一次空気２２、二次空気２３を噴出させる働きをするものである。なお、一次空気２２および二次空気２３は、微粉炭を燃焼させるための燃焼用空気であり、微粉炭の完全燃焼に必要な量が供給される。図２に示すように、燃料ノズル１１から噴出された燃料２１は、燃料噴流２４を形成し、一次空気ノズル１２、二次空気ノズル１３から噴出された一次空気２２、二次空気２３は、それぞれ一次空気噴流２５、二次空気噴流２６を形成する。
【００３０】
燃料ノズル１１の入口側の内部には、燃料流旋回羽根２７が設置されており、微粉炭および微粉炭搬送用空気からなる燃料２１は旋回をともなって火炉２内に噴出される。このとき、燃料２１の旋回により、燃料噴流２４の外周側の微粉炭濃度が高くなる。一方、一次空気ノズル１２の入口側の内部、二次空気ノズル１３の入口側の内部には、それぞれ一次空気流旋回羽根２８、二次空気流旋回羽根２９が設置されており、一次空気２２および二次空気２３は旋回をともなって火炉２内に噴出される。尚、燃料２１、一次空気２２および二次空気２３に旋回を形成させる方法としては、旋回羽根に限定されるものではなく、例えば、管の形状を変化させることで旋回流を形成させる方法であってもよい。
【００３１】
このとき、一次空気２２および二次空気２３の旋回方向に対して、燃料２１の旋回方向が逆向きになるように燃料流旋回羽根２７を配置する。これにより、微粉炭バーナ１から噴出した燃料噴流２４と一次空気噴流２５との界面近傍においてせん断力が生じ、微粉炭バーナ１近傍での燃料噴流２４と一次空気噴流２５の混合が促進される。急速に混合した燃料噴流２４と一次空気噴流２５の混合気は、微粉炭バーナ１からある程度離れた下流に向けて流れる。この混合気内では、微粉炭と燃焼空気の燃焼反応が急速に進行するので、還元雰囲気となる。そのため、図２に示すように、微粉炭バーナ１から離れた領域においても還元雰囲気１０を形成することができる。その結果、還元雰囲気１０を広範囲に形成することができる。
【００３２】
ここで、還元雰囲気１０内では、微粉炭中の窒素分は、主にシアン化水素（ＨＣＮ）やアンモニア（ＮＨ３）などの還元性窒素化合物として放出される。これらの還元性窒素化合物は、還元雰囲気１０内において、燃焼により生じたＮＯｘを還元する。そのため、ＮＯｘの生成量を抑制することができる。なお、還元雰囲気１０内では、燃料噴流２４と一次空気噴流２５との界面近傍におけるせん断力により、還元性窒素化合物およびＣＯなどの還元性ガスとＮＯｘとの混合が迅速に行われ、ＮＯｘの還元反応が促進される。
【００３３】
なお、燃料２１の旋回による遠心力により、微粉炭は燃料ノズル１１の外周部に集められる。そのため、燃料ノズル１１から噴出した燃料噴流２４の外周側の微粉炭濃度が高くなっており、この微粉炭濃度が高い燃料噴流２４の外周側と一次空気噴流２５の混合により、混合気内では、高い微粉炭濃度となる。そのため、混合気内の着火が促進され、高い還元雰囲気１０を形成することができる。また、燃料ノズル１１から噴出した微粉炭は、微粉炭バーナ１近傍で一次空気噴流２５と混合するので、遠心力により径方向に飛散することがない。
【００３４】
[実施例]
次に、上記説明した微粉炭燃焼装置１００を用いて、燃料２１の旋回の有無をパラメータとした燃焼試験を実施し、火炉２出口において採取した排ガスのＮＯｘ濃度の変化を調査した。以下、その燃焼実験について説明する。
【００３５】
（使用条件）
火炉２は、炉内径４００ｍｍ、炉内有効高さ３６５０ｍｍのものを用い、石炭の投入熱量は６００ｋＷ一定とした。また、旋回をともなった一次空気２２と、３００℃に予熱した二次空気２３とを火炉２内に噴出させた。また、石炭は、燃料比の異なる石炭Ａ、石炭Ｂ、石炭Ｃの３種類を用い、下記表１に各石炭の燃料比と石炭中の窒素分を示す。なお、各石炭は、全て２００メッシュで粉砕されており、粒径を７５ミクロン以下が８０％以上となるように調整している。
【００３６】
【表１】
2010230209.tif 000003
【００３７】
燃料２１の旋回ありの条件では、燃料流旋回羽根２７の角度を４５度、一次空気流旋回羽根２８の角度を６０度とし、燃料２１の旋回方向は、一次空気２２の旋回に対して逆向きになるように燃料流旋回羽根２７を配置し燃焼試験を行った。一方、燃料２１の旋回なしの条件では、燃料流旋回羽根２７を除去して燃焼試験を行った。
【００３８】
排ガス中のＮＯｘ濃度（Ｏ２：６容量％換算）［ｐｐｍ］は、排ガス中の実測のＮＯｘ濃度およびＯ２濃度により下記計算式を用いて換算される。
【００３９】
[数１]
［ＮＯｘ濃度］＝［実測ＮＯｘ濃度］×（２１−６）／［２１−（実測Ｏ２濃度）］
【００４０】
（調査結果）
燃焼試験の結果を図３〜６に示す。図３、図４は、それぞれ燃料２１の旋回ありの条件、燃料２１の旋回なしの条件で燃焼試験を行い、排ガス中のＮＯｘ濃度を調査した結果である。図３と図４を比較すると、燃料２１の旋回ありの条件の方が、燃料比１．０以下の石炭Ｃの排ガス中のＮＯｘ生成量は低減した。
【００４１】
また、図５、図６は、それぞれ燃料２１の旋回ありの条件、燃料２１の旋回なしの条件で燃焼試験を行い、微粉炭燃焼炉内中心軸上のＣＯ濃度を測定した結果である。図５に示すように、燃料２１の旋回ありの条件で、燃料比が１．０以下の石炭Ｃを燃焼させた場合には、他の石炭Ａ、石炭Ｂに比べて微粉炭燃焼炉内中心軸上のＣＯ濃度が高くなっており、微粉炭バーナ１近傍での還元雰囲気の還元度が高くなっている。
【００４２】
（考察）
燃料比が、１．０以下の石炭Ｃを燃焼させる場合には、一次空気２２の旋回方向に対して、燃料２１の旋回方向を逆向きにし、微粉炭バーナ１近傍での燃料２１と空気の混合を促進させることで、還元度の高い還元雰囲気を広範囲に形成することができる。つまり、燃料比が１．０以下の石炭は、着火が早いので、微粉炭バーナ１近傍で燃焼しやすい。さらに、微粉炭バーナ１近傍において、燃料２１と燃焼空気との界面近傍にせん断力が生じることにより燃料２１と燃焼空気との混合が促進させるので、燃料２１と燃焼空気との燃焼反応が促進される。そのため、還元度の高い還元雰囲気を形成することができる。また、急速に混合した燃料噴流２４と一次空気噴流２５の混合気は、微粉炭バーナ１からある程度離れた下流に向けて流れるので、還元雰囲気を広範囲に形成することができる。尚、実施例では、微粉炭バーナ１から２ｍ離れた領域でも還元雰囲気を形成することができた。ここで、石炭中の窒素分が加熱されて放出される還元性窒素化合物や、石炭中の炭素分が加熱されて放出されるＣＯなどの還元性ガスは、還元雰囲気内でＮＯｘを還元する。そのため、ＮＯｘ生成量を抑制することができる。
【００４３】
燃料２１がバイオマス燃料を有している場合においても、微粉炭バーナ１近傍での燃料２１と空気の混合を促進させることで、還元度の高い還元雰囲気を形成することができる。つまり、バイオマス燃料として、例えば、木質系バイオマス燃料を用いた場合、木質系バイオマス燃料の燃料比は、１．０以下であるため、着火しやすい。そのため、当該木質系バイオマス燃焼は、微粉炭バーナ１近傍で燃焼しやすい。さらに、微粉炭バーナ１近傍では、燃料２１と燃焼空気との界面近傍にせん断力が生じることにより燃料２１と燃焼空気との混合が促進させるので、燃料２１と燃焼空気との燃焼反応が促進される。その結果、還元度の高い還元雰囲気を形成することができる。ここで、当該木質系バイオマス燃料が加熱されて放出される可燃性ガスは、主に、水素（Ｈ２）、一酸化炭素（ＣＯ）、メタン（ＣＨ４）であり、水素、一酸化炭素、メタンは、還元雰囲気内でＮＯｘを還元する。そのため、ＮＯｘ生成量を抑制することができる。以上のことから、燃料２１が燃料比１．０以下の石炭とバイオマス燃料とを共に火炉２内に供給したとしても還元度の高い還元雰囲気を形成することができる。
【００４４】
以上説明したように、本実施形態に係る微粉炭燃焼装置１００は、微粉炭および微粉炭搬送用空気を有する燃料２１を供給する燃料ノズル１１と、燃料ノズル１１の外側に配置され、一次空気２２を供給する一次空気ノズル１２と、燃料ノズル１１および一次空気ノズル１２の外側に配置され、二次空気２３を供給する二次空気ノズル１３を備える。また、燃料ノズル１１内に配置され、当該燃料ノズル１１から火炉２側に向けて燃料２１に旋回流を形成させる燃料流旋回羽根２７と、一次空気ノズル１２の入口側の内部に配置され、一次空気ノズル１２から火炉２側に向けて一次空気２２に旋回流を形成させる一次空気流旋回羽根２８と、二次空気ノズル１３の入口側の内部に配置され、二次空気ノズル１３から火炉２側に向けて二次空気２３に旋回流を形成させる二次空気流旋回羽根２９とを備える。そして、一次空気２２および二次空気２３の旋回方向に対して、燃料２１の旋回方向が逆向きになるように燃料流旋回羽根２７を配置する。
【００４５】
この構成によると、一次空気ノズル１２および二次空気ノズル１３から火炉２に向けて供給する一次空気２２および二次空気２３の旋回流に対して、燃料２１の旋回流を逆向きにすることで、一次空気噴流２５と燃料噴流２４との界面近傍において、一次空気噴流２５と燃料噴流２４に急激な混合が生じる。そのため、微粉炭バーナ１から離れた領域においても還元雰囲気を形成することができる。その結果、還元雰囲気を広範囲に形成することができる。
【００４６】
また、燃料２１に含まれる微粉炭は、燃料比が１．０以下のもの、例えば、亜瀝青炭、褐炭、または、亜瀝青炭と褐炭とを配合した混合炭を使用する。
【００４７】
この構成によると、燃料比が１．０以下の微粉炭は、着火が早いので、微粉炭バーナ１近傍での一次空気噴流２５と燃料噴流２４の混合を促進させることで、酸素の消費を促進し、還元度の高い還元雰囲気を広範囲に形成することができる。そのため、燃料比が１．０以下の微粉炭を燃焼させる場合、ＮＯｘの生成量を従来の技術に比して抑制することができる。
【００４８】
以上、本発明の実施形態について説明したが、本発明は上述の実施の形態に限られるものではなく、特許請求の範囲に記載した限りにおいて様々に変更して実施することが可能なものである。
【符号の説明】
【００４９】
１  微粉炭バーナ
２  火炉
１１  燃料ノズル
１２  一次空気ノズル
１３  二次空気ノズル
２１  燃料
２２  一次空気
２３  二次空気
２４  燃料噴流
２５  一次空気噴流
２６  二次空気噴流
２７  燃料流旋回羽根
２８  一次空気流旋回羽根
２９  二次空気流旋回羽根
１００  微粉炭燃焼装置
【図１】
2010230209.tif 000004
【図２】
2010230209.tif 000005
【図３】
2010230209.tif 000006
【図４】
2010230209.tif 000007
【図５】
2010230209.tif 000008
【図６】
2010230209.tif 000009